(57)【要約】【課題】カバー形状を大きく変更することなく、回転トルクの増大を抑制し、泥水等の侵入を阻害することができる車輪用軸受装置を提供する。【解決手段】外輪２と、ハブ輪３、およびこのハブ輪３に圧入された少なくとも一つの内輪４からなる内方部材と、複列の転動体５ａ・５ｂと、内輪４の端部に設けられる磁気エンコーダ９と、外輪２に嵌合されているカップ状のカバー１０と、検出部１１ａが前記磁気エンコーダ９に対向するようにして前記カバー１０に設けられる磁気センサ１１と、を備え、前記ハブ輪３と、等速自在継手を構成する外側継手部材１２とが着脱可能に結合される車輪用軸受装置１であって、前記カバー１０は、底部１０ｂに前記外側継手部材１２を連通する連通孔１０ｃが形成され、前記連通孔１０ｃの周囲にインナー側に向かうに従って拡径するとともに内周面にヘリングボーン形状溝２０を設けたテーパ円筒部１０ｄが形成される。【選択図】図２
2018155308.tif 000002
【特許請求の範囲】
【請求項１】
内周に複列の外側転走面が一体に形成され、車体に固定された外方部材と、
一端部に車輪を取り付けるための車輪取り付けフランジを一体に有し、外周に軸方向に延びる小径段部が形成されたハブ輪、および前記ハブ輪の小径段部に圧入された少なくとも一つの内輪からなり、外周に前記複列の外側転走面に対向する複列の内側転走面が形成された内方部材と、
前記内方部材と前記外方部材のそれぞれの転走面間に転動自在に収容された複列の転動体と、
前記内方部材のインナー側の端部に設けられる磁気エンコーダと、
前記外方部材のインナー側の開口部に嵌合されているカップ状のカバーと、
検出部が前記磁気エンコーダに対向するようにして前記カバーに設けられる磁気センサと、を備え、
前記ハブ輪と、等速自在継手を構成する外側継手部材とが着脱可能に結合される車輪用軸受装置であって、
前記カバーは、底部に前記外側継手部材を連通する連通孔が形成され、前記連通孔の周囲にインナー側に向かうに従って拡径するとともに内周面に動圧溝を設けたテーパ円筒部が形成される車輪用軸受装置。
【請求項２】
前記動圧溝は、へリングボーン形状溝である請求項１に記載の車輪用軸受装置。
【発明の詳細な説明】
【技術分野】
【０００１】
本発明は車輪用軸受装置に関する。詳しくは、泥水等の排出性の向上を図った車輪用軸受装置に関する。
【背景技術】
【０００２】
従来、自動車等の懸架装置において車輪を回転自在に支持するとともにアンチロックブレーキシステム（ＡＢＳ）を制御するため、車輪の回転速度を検出する回転速度検出装置を備えた車輪用軸受装置が知られている。車輪用軸受装置は、車輪に接続されるハブ輪が転動体を介して回転自在に支持されている。回転速度検出装置は、円周方向に異なる磁極が交互に着磁された磁気エンコーダと磁気センサとから構成されている。回転速度検出装置は、ハブ輪と一体的に回転する磁気エンコーダが磁気センサ近傍を通過する際の磁性の変化の間隔からハブ輪に接続される車輪の回転速度を検出することができる。車輪用軸受装置には、回転速度検出装置の磁気エンコーダへの飛石等による破損、泥土や磁性体等の付着による誤検出を防止するために磁気エンコーダをカバーによって保護しているものがある。車輪用軸受装置の外輪の開口部を非磁性体のカバーで覆うことで外輪の内部に磁気エンコーダを密閉するものである。例えば、特許文献１に記載の如くである。
【０００３】
特許文献１に記載の車輪用軸受装置は、ハブ輪の一側端部に回転検出センサユニット（回転速度検出装置）を構成する磁気エンコーダが固定されている。磁気エンコーダの検出面と対向する外輪の開口部には、円筒状のカバー（側面カバー）が嵌合されている。カバーは、外輪に嵌合される大径円筒部とセンサや水抜き孔が設けられる小径円筒部とそれぞれを繋ぐ段部から構成されている。カバーは、段部が外輪の端面に接触することで軸方向の位置が定まる。小径円筒部には、回転検出センサユニットを構成するセンサ（磁気センサ）が設けられている。
【先行技術文献】
【特許文献】
【０００４】
【特許文献１】特開２０１４−１２９８８０号公報
【発明の概要】
【発明が解決しようとする課題】
【０００５】
特許文献１に記載のカバーは、内部への泥水等の侵入を防ぐため、通常、ドライブシャフト（等速自在継手等）との径方向隙間が小さくなるように構成される。また、泥水等（泥水や泥土、砂塵等を意味する）の侵入を防ぐために、当該径方向隙間をシール等により密封する構成が考えられるが、シール等の摺動により回転トルクが増大し、燃費悪化に繋がり、好ましくない。そのため、カバー形状を大きく変更することなく、簡易的に泥水等の侵入を防ぐことができる構成が求められている。
【０００６】
本発明は以上の如き状況に鑑みてなされたものであり、カバー形状を大きく変更することなく、回転トルクの増大を抑制し、泥水等の侵入を阻害することができる車輪用軸受装置の提供を目的とする。
【課題を解決するための手段】
【０００７】
即ち、内周に複列の外側転走面が一体に形成され、車体に固定された外方部材と、一端部に車輪を取り付けるための車輪取り付けフランジを一体に有し、外周に軸方向に延びる小径段部が形成されたハブ輪、およびこのハブ輪の小径段部に圧入された少なくとも一つの内輪からなり、外周に前記複列の外側転走面に対向する複列の内側転走面が形成された内方部材と、前記内方部材と前記外方部材のそれぞれの転走面間に転動自在に収容された複列の転動体と、前記内方部材のインナー側の端部に設けられる磁気エンコーダと、前記外方部材のインナー側の開口部に嵌合されているカップ状のカバーと、検出部が前記磁気エンコーダに対向するようにして前記カバーに設けられる磁気センサと、を備え、前記ハブ輪と、等速自在継手を構成する外側継手部材とが着脱可能に結合される車輪用軸受装置であって、前記カバーは、底部に前記外側継手部材を連通する連通孔が形成され、前記連通孔の周囲にインナー側に向かうに従って拡径するとともに内周面に動圧溝を設けたテーパ円筒部が形成されるものである。
【０００８】
車輪用軸受装置は、前記動圧溝がへリングボーン形状溝であるものである。
【発明の効果】
【０００９】
本発明の効果として、以下に示すような効果を奏する。
【００１０】
即ち、本発明に係る車輪用軸受装置においては、カバーの底部に外側継手部材を連通する連通孔が形成され、連通孔の周囲にインナー側に向かうに従って拡径するとともに内周面に動圧溝を設けたテーパ円筒部が形成されている。これにより、例えば、テーパ円筒部に挿通される外側継手部材が回転している場合、動圧溝に生じる流体の動圧作用によって、テーパ円筒部と外側継手部材の間で流体がアウター側からインナー側へと流れる圧力差が生じ、テーパ円筒部と外側継手部材との間の泥水等の流体を外部に排出することができる。したがって、カバーの形状を大きく変更することなく、回転トルクの増大を抑制し、泥水等の侵入を阻害することができる。
【図面の簡単な説明】
【００１１】
【図１】本発明に係る車輪用軸受装置の一実施形態における全体構成を示す斜視図。
【図２】本発明に係る車輪用軸受装置の一実施形態に外側継手部材を組み込んだ全体構成を示す断面図。
【図３】車輪用軸受装置の一実施形態におけるカバー部材の形状を示す拡大断面図。
【図４】内周面にへリングボーン形状溝を形成したテーパ円筒部を示す断面図。
【図５】へリングボーン形状溝の一例を示すイメージ図。
【発明を実施するための形態】
【００１２】
以下に、図１と図２とを用いて、車輪用軸受装置の一実施形態である車輪用軸受装置１について説明する。
【００１３】
図１と図２とに示すように、車輪用軸受装置１は、自動車等の車両の懸架装置において車輪を回転自在に支持するものである。車輪用軸受装置１は、外輪２、ハブ輪３、内輪４、転動列であるインナー側ボール列５ａ（図２参照）、アウター側ボール列５ｂ（図２参照）、インナー側シール部材６（図２参照）、アウター側シール部材７（図２参照）および回転速度検出装置８を具備する。なお、本明細書において、インナー側とは、車輪用軸受装置１を車体に取り付けた際の車輪用軸受装置１の車体側を表し、アウター側とは、車輪用軸受装置１を車体に取り付けた際の車輪用軸受装置１の車輪側を表す。
【００１４】
図２に示すように、外方部材である外輪２は、転動列５ａ、５ｂを介して、内方部材（ハブ輪３と内輪４）を支持するものである。外輪２は、例えば、略円筒状に形成されたＳ５３Ｃ等の炭素０．４０〜０．８０ｗｔ％を含む中高炭素鋼で構成されている。外輪２のインナー側端部には、インナー側シール部材６が嵌合可能なインナー側開口部２ａが形成されている。外輪２のアウター側端部には、アウター側シール部材７が嵌合可能なアウター側開口部２ｂが形成されている。
【００１５】
外輪２の内周面には、環状に形成されているインナー側の外側転走面２ｃとアウター側の外側転走面２ｄとが周方向に互いに平行になるように形成されている。インナー側の外側転走面２ｃとアウター側の外側転走面２ｄとには、例えば、高周波焼入れによって表面硬さを５８〜６４ＨＲＣの範囲とする硬化層が形成されている。外輪２の外周面には、図示しない懸架装置のナックルに取り付けるための車体取り付けフランジ２ｅが一体に形成されている。車体取り付けフランジ２ｅの取り付け面である一側面および他側面は、好ましくは、切削加工等の機械加工が施されている。
【００１６】
内方部材を構成するハブ輪３は、図示しない車両の車輪を回転自在に支持するものである。ハブ輪３は、例えば、円筒状に形成されたＳ５３Ｃ等の炭素０．４０〜０．８０ｗｔ％を含む中高炭素鋼で構成されている。ハブ輪３のインナー側端部には、外周面に縮径された小径段部３ａが形成されている。ハブ輪３のアウター側端部には、車輪を取り付けるための車輪取り付けフランジ３ｂが一体的に形成されている。ハブ輪３の車輪取り付けフランジ３ｂ側の外周面には、周方向に環状の内側転走面３ｃと環状のシール摺動面３ｄとが形成されている。車輪取り付けフランジ３ｂには、円周等配位置にハブボルト３ｅが設けられている。ハブ輪３の内周面には等速自在継手を構成する外側継手部材１２が内嵌されるトルク伝達用のセレーション３ｆ（またはスプライン）が形成されている。
【００１７】
ハブ輪３は、例えば、インナー側の小径段部３ａからアウター側の内側転走面３ｃまでを高周波焼入れにより表面硬さを５８〜６４ＨＲＣの範囲に硬化処理されている。これにより、ハブ輪３は、車輪取り付けフランジ３ｂに付加される回転曲げ荷重に対して充分な機械的強度を有し、ハブ輪３の耐久性が向上する。ハブ輪３には、小径段部３ａに内輪４が設けられる。ハブ輪３に形成されている内側転走面３ｃが外輪２のアウター側の外側転走面２ｄに対向するように配置されている。
【００１８】
内輪４は、転動列であって車載時に車体側に配置されるインナー側ボール列５ａと車載時に車輪側に配置されるアウター側ボール列５ｂとに予圧を与えるものである。内輪４は、円筒状に形成されている。内輪４は、例えば、ＳＵＪ２等の高炭素クロム軸受鋼からなり、ズブ焼入れにより芯部まで５８〜６４ＨＲＣの範囲で硬化処理されている。内輪４の外周面には、周方向に環状の内側転走面４ａが形成されている。内輪４は、圧入によりハブ輪３のインナー側端部に固定されている。つまり、ハブ輪３のインナー側には、内輪４によって内側転走面４ａが構成されている。内輪４に形成されている内側転走面４ａが外輪２のインナー側の外側転走面２ｃに対向するように配置されている。
【００１９】
転動列であるインナー側ボール列５ａとアウター側ボール列５ｂとは、ハブ輪３を回転自在に支持するものである。インナー側ボール列５ａとアウター側ボール列５ｂとは、転動体である複数のボールが保持器によって環状に保持されている。インナー側ボール列５ａとアウター側ボール列５ｂとは、例えば、ＳＵＪ２等の高炭素クロム軸受鋼からなり、ズブ焼入れにより芯部まで６２〜６７ＨＲＣの範囲で硬化処理されている。インナー側ボール列５ａは、内輪４に形成されている内側転走面４ａと、それに対向している外輪２のインナー側の外側転走面２ｃとの間に転動自在に挟まれている。アウター側ボール列５ｂは、ハブ輪３に形成されている内側転走面３ｃと、それに対向している外輪２のアウター側の外側転走面２ｄとの間に転動自在に挟まれている。つまり、インナー側ボール列５ａとアウター側ボール列５ｂとは、外輪２に対してハブ輪３と内輪４とを回転自在に支持している。
【００２０】
車輪用軸受装置１には、外輪２とハブ輪３と内輪４とインナー側ボール列５ａとアウター側ボール列５ｂとから複列アンギュラ玉軸受が構成されている。なお、本実施形態において、車輪用軸受装置１には、複列アンギュラ玉軸受が構成されているがこれに限定されるものではなく、複列円錐ころ軸受等で構成されていてもよい。
【００２１】
インナー側シール部材６は、外輪２のインナー側開口部２ａとハブ輪３との隙間を塞ぐものである。インナー側シール部材６は、略円筒状のシール板と一側端部に鍔を有する略円筒状のスリンガとを具備する。インナー側シール部材６は、例えば、フェライト系ステンレス鋼板（ＪＩＳ規格のＳＵＳ４３０系等）等から構成されているシール板に、例えば、ＮＢＲ（アクリロニトリル−ブタジエンゴム）等の合成ゴムからなる複数の一側シールリップが加硫接着されている。スリンガは、例えば、シール板と同等の鋼板から構成されている。インナー側シール部材６は、シール板が外輪２のインナー側開口部２ａに嵌合され、スリンガの円筒部分が内輪４に嵌合され、パックシールを構成している。スリンガは、その鍔部分が外側（インナー側）に向くようにして内輪４に固定されている。スリンガの鍔部分の外側（インナー側）には、回転速度検出装置８の磁気エンコーダ９が接着されている。インナー側シール部材６は、シール板の一側シールリップが油膜を介してスリンガと接触することでスリンガに対して摺動可能に構成されている。これにより、インナー側シール部材６は、外輪２の内部からの潤滑グリースの漏れ、および外部からの雨水や粉塵等の侵入を防止する。
【００２２】
アウター側シール部材７は、外輪２のアウター側開口部２ｂとハブ輪３との隙間を塞ぐものである。アウター側シール部材７は、例えば、ニトリルゴム等の合成ゴムからなる複数の他側シールリップが加硫接着によって略円筒状に形成された芯金に一体に接合されている。アウター側シール部材７は、外輪２のアウター側開口部２ｂに円筒部分が嵌合され、ハブ輪３のシール摺動面３ｄに複数の他側シールリップが接触している。アウター側シール部材７は、他側シールリップが油膜を介してハブ輪３のシール摺動面３ｄと接触することでハブ輪３に対して摺動可能に構成されている。これにより、アウター側シール部材７は、外輪２の内部からの潤滑グリースの漏れ、および外部からの雨水や粉塵等の侵入を防止する。
【００２３】
図１と図２とに示すように、回転速度検出装置８は、ハブ輪３と内輪４との軸回りの回転速度を検出するものである。回転速度検出装置８は、磁気エンコーダ９とカバー１０（図１、図２における薄墨部分）と磁気センサ１１とから構成されている。
【００２４】
磁気エンコーダ９は、フェライト等の磁性紛体が混入された合成ゴムが環状に形成され、周方向に等ピッチで磁極Ｎと磁極Ｓとに着磁されたものである。磁気エンコーダ９は、インナー側シール部材６を構成するスリンガのインナー側端部に形成されている鍔部分に加硫接着によって一体的に接合されている。すなわち、磁気エンコーダ９は、外輪２のインナー側開口部２ａに配置されている。また、磁気エンコーダ９は、スリンガを介してハブ輪３および内輪４と一体的に回転可能に構成されている。スリンガは、防錆性の向上と検出精度の安定性の向上のため強磁性体の鋼板、例えば、フェライト系のステンレス鋼鈑（ＪＩＳ規格のＳＵＳ４３０系等）や防錆処理された冷間圧延鋼鈑（ＪＩＳ規格のＳＰＣＣ系等）からプレス加工にて形成されている。
【００２５】
カバー１０は、外輪２のインナー側開口部２ａを塞いで磁気エンコーダ９を保護するものである。カバー１０は、例えば、非磁性のオーステナイト系ステンレス鋼鈑（ＪＩＳ規格のＳＵＳ３０４系等）等から構成されている。カバー１０は、プレス加工によってカップ状に一体に形成されている。カップ状のカバー１０は、円筒部１０ａと、底部１０ｂと、連通孔１０ｃ、テーパ円筒部１０ｄとから構成されている。なお、カバー１０は、プレス加工によるプレス成形品であるが、特に限定するものではない。例えば、カバー１０は、焼結品、鍛造品、切削品、射出成形品（金属、樹脂）のいずれから構成されるものあってもよい。
【００２６】
円筒部１０ａは、その内径が外輪２のインナー側開口部２ａの外径よりも僅かに小さい外径に形成されている。これにより、円筒部１０ａは、外輪２のインナー側端に嵌合可能に形成されている。底部１０ｂは、円筒部１０ａのインナー側端から径方向内側に突出して円環状に形成されている。連通孔１０ｃは、底部１０ｂの内周縁に形成される開口である。テーパ円筒部１０ｄは、連通孔１０ｃの周囲からインナー側に突出して形成される略円筒状の部分である。テーパ円筒部１０ｄは、インナー側に向かうに従って僅かに拡径している。これにより、カバー１０は、円筒部１０ａによって外輪２に嵌合され、インナー側開口部２ａ近傍に配置されている回転速度検出装置８の磁気エンコーダ９を保護している。円筒部１０ａと底部１０ｂは、外輪２のインナー側端面から突出してカバー１０の内側に磁気センサ１１の検出部を配置するための空間を構成している。これにより、カバー１０は、磁気エンコーダ９への飛石等による破損、泥土や磁性体等の付着による誤検出を防止するために磁気エンコーダ９を覆っている。また、底部１０ｂには、磁気センサ１１が設けられている。なお、底部１０ｂには、カバー１０内に入り込んだ粉塵や泥水等の異物を排出する図示しないドレーン孔が形成されている。
【００２７】
磁気センサ１１は、非接触で磁気エンコーダ９から磁性を検出するものである。磁気センサ１１は、ホール素子、磁気抵抗素子（ＭＲ素子）等の磁束の流れ方向に応じて特性を変化させる磁気検出素子およびこの磁気検出素子の出力波形を整えるＩＣが組み込まれた検出部１１ａと、信号線や電力線からなるハーネス部１１ｂとから構成されている。磁気センサ１１は、検出部１１ａが磁気エンコーダ９に対向するようにしてカバー１０の底部１０ｂに固定されている。磁気センサ１１は、磁気エンコーダ９から検出部１１ａの略中央の磁気検出素子が配置されている磁気検出位置までの隙間がエアギャップ（軸方向すきま）になるように配置されている。磁気センサ１１は、ハブ輪３および内輪４と一体的に回転することにより交互に検出部１１ａの磁気検出位置（磁気検出素子）を通過する磁気エンコーダ９の各磁性の変化を検出する。
【００２８】
このように構成される車輪用軸受装置１は、外輪２とハブ輪３と内輪４とインナー側ボール列５ａとアウター側ボール列５ｂとから複列アンギュラ玉軸受が構成され、ハブ輪３がインナー側ボール列５ａとアウター側ボール列５ｂを介して外輪２に回転自在に支持されている。また、車輪用軸受装置１は、外輪２のインナー側開口部２ａと内輪４との隙間をインナー側シール部材６で塞がれ、外輪２のアウター側開口部２ｂとハブ輪３との隙間をアウター側シール部材７で塞がれている。これにより、車輪用軸受装置１は、内部からの潤滑グリースの漏れ、および外部からの泥水等の侵入を防止しつつ、外輪２に支持されているハブ輪３が回転可能に構成されている。さらに、車輪用軸受装置１は、インナー側シール部材６のスリンガに設けられた磁気エンコーダ９と、外輪２に設けられたカバー１０と、カバー１０に設けられた磁気センサ１１とから回転速度検出装置８が構成されている。これにより、車輪用軸受装置１は、ハブ輪３および内輪４と一体的に回転する磁気エンコーダ９の磁性の変化を外輪２に固定されている磁気センサ１１により検出することでハブ輪３および内輪４の回転速度を検出可能に構成されている。車輪用軸受装置１は、外方部材である外輪２が車体に固定され、ハブ輪３の内周面にその一側端部側からトルク伝達用の外側継手部材１２がカバー１０の連通孔１０ｃを通じて嵌合されている。
【００２９】
次に、図３、図４および図５を用いて、カバー１０（図３と図４とにおける薄墨部分）のテーパ円筒部１０ｄの形状について詳細に説明する。
【００３０】
図３に示すように、テーパ円筒部１０ｄは、底部１０ｂからインナー側に離間するにつれて拡径するテーパ形状であり、軸方向に対して所定の傾斜角度θになるように形成されている。テーパ円筒部１０ｄの内周面のアウター側端と外側継手部材１２の肩部１２ａの外周面との間には、径方向の隙間Ｇ１が形成されている。また、テーパ円筒部１０ｄの内周面のインナー側端と外側継手部材１２の肩部１２ａの外周面との間において隙間Ｇ１の寸法より大きい寸法の径方向の隙間Ｇ２が形成されている。すなわち、テーパ円筒部１０ｄの内周面は、アウター側端からインナー側端に向けて拡径して形成されているため、テーパ円筒部１０ｄの内周面と外側継手部材１２の肩部１２ａの外周面との間に、断面台形状の環状空間Ｓが形成されている。なお、図２、図３、図４においては、理解に供するためにテーパ円筒部１０ｄの実際の傾斜角度より大きい傾斜角度で記載している。
【００３１】
また、傾斜角度θは、１度以上が好ましい。例えば、１度未満にした場合、後述する隙間Ｇ１と隙間Ｇ２における動圧効果による圧力差が小さくなり、十分な泥水等の侵入の阻害効果が期待できないからである。
【００３２】
また、図４に示すように、カバー１０のテーパ円筒部１０ｄの内周面には、動圧溝の一例であるへリングボーン形状溝２０が形成されている。へリングボーン形状溝２０は、Ｖ字形状の微細な凹凸部が複数周方向に並べられて形成されたものである。へリングボーン形状溝２０は、動圧を発生させるための溝であり、流体の動圧効果で圧力を発生させることができる。また、隙間Ｇ１は、テーパ円筒部１０ｄと対向する外側継手部材１２の肩部１２ａの外周面との間に動圧効果が発生する程度に、近接している。なお、図４においては、理解に供するために実際のへリングボーン形状溝２０とは大きさが異なるものであり、へリングボーン形状溝２０の部分はイメージ図として記載している。また、図５において微小なサイズに形成されたへリングボーン形状溝２０の一例を示す。
【００３３】
また、動圧溝としては、へリングボーン形状溝２０以外に、例えば、複数の円弧からなる多円弧形状溝、スパイラル形状溝等であってもよく、溝内に満たされた流体が動圧作用を発生するものであればよい。
【００３４】
ここで、へリングボーン形状溝２０が形成されたテーパ円筒部１０ｄに連通孔１０ｃを介して連通した外側継手部材１２が周方向に回転した際に空間Ｓで発生する動圧効果によって発生する現象について説明する。
【００３５】
上述したように、隙間Ｇ２の寸法が隙間Ｇ１の寸法よりも大きくなっているため、外側継手部材１２の回転時、動圧溝であるへリングボーン形状溝２０による流体の引き込み力（ポンピング力）はインナー側（隙間Ｇ２側）よりもアウター側（隙間Ｇ１側）が相対的に大きくなる。そして、この引き込み力の圧力差によって、テーパ円筒部１０ｄの内周面と外側継手部材１２の肩部１２ａの外周面との間の空間Ｓに流体が存在する場合は当該流体がインナー側へ流動する。すなわち、テーパ円筒部１０ｄの内周面は、外側継手部材１２の肩部１２ａに対して傾斜しているためへリングボーン形状溝２０による動圧効果がインナー側とアウター側で異なり、狭い隙間側である隙間Ｇ１の発生圧力が隙間の広い側である隙間Ｇ２の発生圧力よりも高くなる。その発生圧力の差が流体の流れを生む原因となっているのである。したがって、本実施形態に係る車輪用軸受装置１は、上述した現象を利用したものであり、例えば、当該流体が泥水であった場合、泥水が空間Ｓに浸入した際には、上記発生圧力の圧力差により、泥水の外部から空間Ｓへの侵入を阻害することができる。したがって、本実施形態の車輪用軸受装置１によれば、カバー１０の形状を大きく変更することなく泥水等の排出性を向上させることができる。
【００３６】
以上、本発明の実施の形態について説明を行ったが、本発明はこうした実施の形態に何等限定されるものではなく、あくまで例示であって、本発明の要旨を逸脱しない範囲内において、さらに種々なる形態で実施し得ることは勿論のことであり、本発明の範囲は、特許請求の範囲の記載によって示され、さらに特許請求の範囲に記載の均等の意味、および範囲内のすべての変更を含む。
【００３７】
加えて、本願における車輪用軸受装置１は、内方部材として一つの内輪が嵌合されたハブ輪を備え、取付フランジを有している外方部材である外輪と内方部材である内輪とハブ輪の嵌合体で構成された第３世代構造としているが、これに限定するものではない。例えば、主に外方部材である外輪２と内方部材である一対の内輪３で構成された第１世代構造であってもよい。また、取付フランジを有している外方部材である外輪と内方部材である一対の内輪で構成され、この一対の内輪がハブ輪の外周に嵌合される第２世代構造であってもよい。更に、内方部材としてハブ輪と自在継手が連結されており、取付フランジを有している外方部材である外輪と内方部材であるハブ輪と自在継手の嵌合体で構成された第４世代構造であってもよい。
【符号の説明】
【００３８】
１    車輪用軸受装置
２    外輪
２ｃ・２ｄ  外側転走面
２ｅ  車体取り付けフランジ
３    ハブ輪
３ａ  小径段部
３ｂ  車輪取り付けフランジ
４    内輪
５ａ  インナー側ボール列
５ｂ  アウター側ボール列
９    磁気エンコーダ
１０    カバー
１０ａ  円筒部
１０ｂ  底部
１０ｃ  連通孔
１０ｄ  テーパ円筒部
１１    磁気センサ
１１ａ  検出部
１２    外側継手部材
２０    ヘリングボーン形状溝（動圧溝）
【図１】
2018155308.tif 000003
【図２】
2018155308.tif 000004
【図３】
2018155308.tif 000005
【図４】
2018155308.tif 000006
【図５】
2018155308.tif 000007